(57)【特許請求の範囲】
【請求項１】
機体の進行方向と直交する方向に沿って当該機体に駆動軸が支持され、当該駆動軸に所定間隔をおいて多数の作溝輪が一体に取付けられ、当該作溝輪の横断面は、野鳥のくちばしが播種溝の溝底まで達するのを防止して、当該溝底に落下された種子が、当該野鳥により捕食されるのを防止できる開口幅と深さを有するＶ字状をなしていて、作溝深さが規制された作溝突部が全周に亘って突設された構成の作溝装置と、
前記駆動軸の駆動回転によって、前記多数の作溝輪により圃場面に形成された直後の前記各播種溝の底部に播種ホースを介してそれぞれサイズの異なる複数種類の種子を供給するための播種装置と、を備えた直播機において、
前記作溝装置の作溝輪と前記播種装置の播種ホースとの間に、前記播種溝の底部に近い部分が拡幅された播種溝拡幅部を形成するための棒状の播種溝拡幅具が配置されて、
前記サイズの異なる複数種類の種子のうち前記播種溝の途中に引っ掛かった状態で播種される大サイズの種子を、前記播種溝拡幅部の底部に播種可能にしたことを特徴とする直播機。
【請求項２】
前記播種溝拡幅具は、機体の進行方向に対して前傾姿勢となって、当該機体に取付けられていることを特徴とする請求項１に記載の直播機。
【請求項３】
前記播種溝拡幅具は、コイルバネを介して前記機体に取付けられていることを特徴とする請求項１又は２に記載の直播機。
【請求項４】
前記播種溝拡幅具の横断面は、円形であることを特徴とする請求項１ないし３のいずれかに記載の直播機。
【発明の詳細な説明】
【技術分野】
【０００１】
本発明は、多数の作溝輪により形成された断面がＶ字状の多数条の各播種溝の底部に種子を落下させて播種する直播機において、大豆等の大サイズの種子を播種溝の底部に近い部分に播種できるようにした直播機に関するものである。
なお、以下の説明において、「Ｖ字状の播種溝」における「Ｖ字状」とは、野鳥のくちばしが播種溝の溝底まで達するのを防止して、当該溝底に落下された種子が、当該野鳥により捕食されるのを防止できる開口幅と深さを有するＶ字形状を指す。
【背景技術】
【０００２】
直播機は、特許文献１に示されるように、圃場面に断面がＶ字状の多数条の播種溝を機体の進行方向と直交する方向に沿って所定間隔をおいて形成して、当該播種溝の形成直後に、その底部に種子を落下させ、種子の落下直後に当該種子を覆土する播種機の一種であって、前記播種溝を形成するための作溝装置と、当該播種溝の底部に必要に応じて肥料と一緒に種子を落下させる播種装置と、前記播種溝の底部に落下された種子を覆土するための覆土装置とを備えている。
【０００３】
最初に、本発明の実施例の図面である図１〜図４を参照して、直播機の概略構成について説明する。なお、本発明は、直播機における播種溝拡幅装置に係るものであって、当該播種溝拡幅装置に特徴があり、直播機の本体部は、従来構成のままで特徴を有していないので、直播機の本体部の説明に関しては、必要最小限に止めるために、直播機の駆動軸６３及びホッパー６４内の種子及び肥料の繰出し機構の駆動機構の詳細説明は行わない。直播機は、一対のロワーリンク６１とアッパーリンク６２とから成る３点ヒッチリンクＬを介してトラクタ（図示せず）の後部に昇降可能に装着されて牽引され、機体Ｂに、当該機体Ｂの進行方向Ｐと直交する方向に沿って駆動軸６３が支持され、当該駆動軸６３に、形成する播種溝Ｖの条間に対応した間隔をおいて多数の作溝輪Ｗが取付けられ、機体Ｂにおける各作溝輪Ｗの斜後上方にそれぞれ対応したホッパー６４が取付けられた構成である。作溝装置Ｅは、駆動軸６３に多数の作溝輪Ｗが取付けられた構成である。
【０００４】
作溝輪Ｗには、種々の構造があるが、一例として、図４に示されるものを挙げる。この作溝輪Ｗは、中心孔を有する大径及び小径の一対のわん曲円板８１，８２の外周部を小径のわん曲円板８２の側で溶接８３して、一対のわん曲円板８１，８２を一体化させて、当該一対のわん曲円板８１，８２の各中心孔８１ａ，８２ａに短円筒状の取付円筒体８４を嵌め込んで、溶接８３により一体化させ、最後に、一対のわん曲円板８１，８２の外側に、それぞれ分割鍔リング体８５を嵌め込んで、溶接８３により一体化させている。一対のわん曲円板８１，８２が溶接８３により一体化された形状は、中心孔を有することを含めて、ソロバン玉の形状に近似している。これにより、一対の分割鍔リング体８５で構成される深さ規制用の規制鍔リング体８６の幅方向の中央部に、横断面がＶ字状をした作溝突部９０が全周に亘って突設された構成の作溝輪Ｗとなる。作溝輪Ｗが一体に設けられた多数の取付円筒体８４は、駆動軸６３の外側に嵌め込まれて、連結ピン８７によって両者が一体化されることで、当該駆動軸６３に、圃場面に形成する多数条の播種溝Ｖの条間隔（ピッチ）〔Ｑ〕〔図２参照〕に対応した間隔をおいて一体に取付けられて、作溝装置Ｅを構成する。なお、取付円筒体８４には、ナット８８が溶接により固定され、当該ナット８８に螺合されたボルト８９の先端部が、取付円筒体８４に設けられた貫通孔８４ａに挿入されて、駆動軸６３の外周面に当接させることで、駆動軸６３と取付円筒体８４との間のガタツキを防止している。
【０００５】
駆動軸６３は、トラクタのＰＴＯ軸（図示せず）からユニバーサルジョイント６５を介して取り出された動力が、傘歯車機構（図示せず）及びチェーン歯車機構６６を介して伝達されることで、駆動回転する。一方、播種装置Ｆを構成するホッパー６４は、その内部に設けられた分離板６７によって種子収容室６８と肥料収容室６９とに分離され、前記ホッパー６４の直下には、各収容室６８，６９から別々に繰り出された種子と肥料とを混合状態で収容可能な受け器７１が配置され、各受け器７１には、種子と肥料との混合物の落下案内を行うための播種ホース７２が連結され、各播種ホース７２の下端部は、駆動軸６３の駆動回転により各作溝輪Ｗにより形成された各播種溝Ｖの開口に臨んでいる。機体Ｂの前方には、前記ホッパー６４と受け器７１との間に配置された種子及び肥料の繰出し機構（図示せず）を駆動する動力を発生させるための一対の接地輪７３が配置され、当該一対の接地輪７３の回転により発生した動力は、ユニバーサルジョイント６５及びチェーン歯車機構６６を介して上記した繰出し機構に伝達される。なお、図２において、７５は、駆動軸６３の一端部に取付けられて、前記チェーン歯車機構６６を構成する鎖歯車を示す。
【０００６】
そして、作業状態の機体Ｂは、一対の接地輪７３と、駆動軸６３に取付けられた多数の作溝輪Ｗの各規制鍔リング体８６が圃場面Ａに接地され、この状態で機体Ｂが進行すると、駆動軸６３の駆動回転により規制鍔リング体８６により、圃場面Ａに対する作溝突部９０の侵入深さが規制された状態で、各作溝輪Ｗの各作溝突部９０によって、圃場面に、当該作溝突部９０に対応した断面がＶ字状をした多数条の播種溝Ｖが一定ピッチ（Ｑ）で形成される。作溝輪Ｗの作溝突部９０が回転しながら進行することで、播種溝Ｖの両側部の土は、当該作溝輪Ｗの形成時に作溝突部９０によって側方から押圧力を受けるため硬くなっている。播種溝Ｖの形成直後に、各作溝輪Ｗの後方に配置された播種ホース７２から、当該播種溝Ｖの底部に肥料と混合された種子が落下されて、播種される。播種後においては、後述の覆土装置Ｇによって、覆土される。
【０００７】
ここで、播種溝Ｖは、その横断面がＶ字状であって、開口幅（Ｋ0 ）及び深さ（Ｈ0 ）〔図１３（ｂ）参照〕は、それぞれ（２０ｍｍ），（５０ｍｍ）程度に定めてあって、しかも播種溝Ｖの両側部は、溝形成時の土の圧縮により硬くなっているため、ひよどり、からす等の野鳥（害鳥）のくちばしが溝底まで達するのを阻止でき、溝底に落下された種子が、野鳥により捕食されるのを防止できる寸法となっている。
【０００８】
米、麦等の小サイズの種子の場合は、最大長さ部分において、５ｍｍ程度であるため、播種溝Ｖに落下させることで、殆どの種子が底部に到達するが、米、麦等に比較してサイズの大きな大豆の種子Ｓを播種する場合には、僅かに楕円状をした当該種子Ｓの最大部の平均寸法は、９〜１１ｍｍであるため、上記寸法の播種溝Ｖでは、図１３（ｂ）に示されるように、落下途中に播種溝Ｖの両内壁面に引っ掛かって、底部から離れた位置に空中支持状態で播種されてしまう。この状態で、覆土した場合には、空中支持された一部の種子Ｓは、覆土の際の軽い衝撃等により、播種位置が多少下がることはあるが、種子Ｓの全体が土壌内に埋まっていないために十分な水分を吸収できなくて、種子Ｓが乾燥して、発芽が遅れたり、発芽が不十分な発芽不良が生ずる。また、圃場面から上記野鳥（害鳥）のくちばしが届く程度の深さの部分に配置されているため、野鳥による捕食も避けられない。
【０００９】
ここで、断面Ｖ字状をした播種溝Ｖの形成角度が大きな特殊仕様の作溝輪を使用すれば、上記した問題を解決できるが、播種溝Ｖの形成角度の異なる２種類の作溝輪を保有する必要があって、コストが嵩むのに加えて、作溝輪自体が相当の重量を有するので、その交換作業は、農業従事者自身では行えず、専門の農機具販売・修理業者に依頼せざるを得ないという実情が存在する。この結果、米、麦等のサイズの小さい種子に対応した作溝輪を使用せざるを得ないため、上記した大豆の種子Ｓの乾燥と、野鳥による当該種子Ｓの捕食の問題が避けられない。この結果、大サイズ種子に係る作物の単位面積当たりの生産量である生産性が低下される。
【先行技術文献】
【特許文献】
【００１０】
【特許文献１】特開２０１４−１８７９３３号公報
【発明の概要】
【発明が解決しようとする課題】
【００１１】
本発明は、上記した直播機の使用の実情に基き、特殊仕様の作溝輪を使用することなく、米、麦等の小サイズの種子の直播きに使用されている一般の作溝輪の使用により、大豆等の大サイズの種子を播種溝の底部に近い位置に播種させることで、大サイズの種子の乾燥、及び野鳥による捕食との双方を防止することを課題としている。
【課題を解決するための手段】
【００１２】
上記課題を解決するための請求項１の発明は、機体の進行方向と直交する方向に沿って当該機体に駆動軸が支持され、当該駆動軸に所定間隔をおいて多数の作溝輪が一体に取付けられ、当該作溝輪の横断面は、野鳥のくちばしが播種溝の溝底まで達するのを防止して、当該溝底に落下された種子が、当該野鳥により捕食されるのを防止できる開口幅と深さを有するＶ字状をなしていて、作溝深さが規制された作溝突部が全周に亘って突設された構成の作溝装置と、
前記駆動軸の駆動回転によって、前記多数の作溝輪により圃場面に形成された直後の前記各播種溝の底部に播種ホースを介してそれぞれサイズの異なる複数種類の種子を供給するための播種装置と、を備えた直播機において、
前記作溝装置の作溝輪と前記播種装置の播種ホースとの間に、前記播種溝の底部に近い部分が拡幅された播種溝拡幅部を形成するための棒状の播種溝拡幅具が配置されて、
前記サイズの異なる複数種類の種子のうち前記播種溝の途中に引っ掛かった状態で播種される大サイズの種子を、前記播種溝拡幅部の底部に播種可能にしたことを特徴としている。
【００１３】
請求項１の発明によれば、機体の進行により、多数の作溝輪により、当該作溝輪の外周部の断面形状に対応した前記Ｖ字状の断面を有する多数の播種溝が、当該機体の進行方向と直交する方向に沿って所定間隔をおいて形成され、その直後に、棒状の播種溝拡幅具によって、前記播種溝の底部に近い狭幅の部分の両内側壁面部の土壌が削り崩されることで、所定高さに亘ってほぼ等幅の播種溝拡幅部が形成され、その直後に、播種装置の播種ホースから大豆等の大サイズの種子が播種溝内に落下供給されて、前記播種溝拡幅部の底部に配置される。播種溝拡幅部の底部は、断面が前記Ｖ字形の播種溝の最底部に近いため、結果的に、大サイズの種子は、当該播種溝拡幅部の最底部に播種され、この状態で、覆土装置の覆土板により播種溝の開口部の両側の土壌が崩されて、播種溝の底部に播種された大サイズの種子は覆土される。なお、棒状をした播種溝拡幅具により削り崩された播種溝の両内側壁面部の土壌は、拡幅された播種溝各部の最底部に崩れ落とされて、当該最底部の土壌の上に大サイズの種子が播種される。
【００１４】
このように、請求項１の発明によれば、前記Ｖ字形の播種溝の底部に近い部分から上方に向いた所定高さの部分に、拡幅された播種溝拡幅部が形成されて、当該播種溝拡幅部の底部に、大サイズの種子が播種される。このように、大サイズの種子であっても、小サイズの種子と同様にして、播種溝の底部に近い部分に播種されて、その全体が覆土されるために、空中支持状態で播種されることが原因の種子の乾燥が防止されて、当該種子を確実に発芽させられる。また、野鳥（害鳥）のくちばしは、大サイズの種子の播種位置までは、達しないために、今までと同様の作溝輪により形成された前記Ｖ字形の播種溝に、大サイズの種子を、野鳥（害鳥）により捕食される恐れなく播種できる。この結果、大サイズの種子に係る生産量の低下を防止できて、本来の生産性を確保できる。
【００１５】
請求項２の発明は、請求項１の発明において、前記播種溝拡幅具は、機体の進行方向に対して前傾姿勢となって、当該機体に取付けられていることを特徴としている。
【００１６】
請求項２の発明によれば、播種溝拡幅具は、機体の進行方向に対して前傾姿勢となって、当該機体に取付けられているため、前記Ｖ字形の播種溝の両内側壁面部は、比較的小さな走行抵抗で、しかも当該播種溝の全体形状を崩すことなく、削り崩されて、ほぼ一定の断面形状の播種溝拡幅部が形成される。
【００１７】
請求項３の発明は、請求項１又は２の発明において、前記播種溝拡幅具は、コイルバネを介して前記機体に取付けられていることを特徴としている。
【００１８】
請求項３の発明によれば、前記Ｖ字形をした播種溝の両内側壁面部が播種溝拡幅具により削り崩される際には、播種溝の両内側壁面部を形成する土壌に対する播種溝拡幅具の走行抵抗により、前記コイルバネの全体は、側面視において、当該走行抵抗に比例した量だけわん曲される。当該コイルバネが側面視でわん曲することで、当該コイルバネに弾性復元力が発生し、当該弾性復元力により、播種溝拡幅具は、播種溝の両内側壁面部を形成する土壌から離れることなく常時押圧する。このため、作溝輪の作溝突部の突出長が磨耗により短くなって、形成される播種溝が浅くなった場合には、これに対応して播種溝拡幅具の前傾角度が大きくなるため、常に、棒状の播種溝拡幅具による播種溝の両内側壁面部を形成する土壌の削り崩しを安定して行える。
【００１９】
更に、機体の進行方向と直交する幅方向に対する播種溝拡幅具の正規の配置位置は、作溝輪の直後であるが、請求項３の発明によれば、前記播種溝拡幅具の配置位置が、機体の幅方向に対して作溝輪の直後ではなくて、誤って、僅かにずれて配置された場合でも、前記コイルバネは、背面視において僅かにわん曲されることで、播種溝に対する播種溝拡幅具の配置位置を、正規の配置位置に近い状態に矯正することができて、常に、播種溝の両内側壁面部を均等に削り崩すことが可能となる。
【００２０】
請求項４の発明は、請求項１ないし３のいずれかの発明において、前記播種溝拡幅具の横断面は、円形であることを特徴としている。
【００２１】
請求項４の発明によれば、播種溝拡幅具の横断面が円形であるために、当該播種溝拡幅具が、作溝輪の直後に配置されている限り、当該播種溝拡幅具を機体に取付けるためのアタッチメントに対する当該播種溝拡幅具の周方向の固定位置に影響されることなく、播種溝の両内側壁面部の土壌を均等に削り崩すことが可能となって、当該播種溝拡幅具の横断面視において左右両端部の走行抵抗が同一又は同一に近くなって、播種溝拡幅部の成形を安定して行えると共に、播種溝に対して左右対称の播種溝拡幅部が形成される。
【００２２】
【００２３】
【発明の効果】
【００２４】
本発明は、播種溝の途中に引っ掛かった状態で播種される大サイズの種子を、当該播種溝の最底部に近い位置に播種可能にすべく、当該播種溝の最底部に近い部分を拡幅した播種溝拡幅部を形成するための棒状の播種溝拡幅具が、作溝装置の作溝輪と播種装置の播種ホースとの間に配置されているため、野鳥のくちばしが溝底まで達するのを防止して、当該溝底に落下された種子が、当該野鳥により捕食されるのを防止できる開口幅と深さを有する横断面Ｖ字形の播種溝の形成直後に、前記播種溝拡幅具により、当該播種溝の最底部に近い部分から上方に向いた所定高さの部分に、拡幅された播種溝拡幅部が形成されて、当該播種溝拡幅部の底部に、大サイズの種子が播種可能となって、その全体が覆土される。よって特殊仕様の作溝輪を使用することなく、米、麦等の小サイズの種子の直播きに使用されていた作溝輪の使用により、大サイズの種子の乾燥を防止して、確実に発芽させられると共に、野鳥による種子の捕食も同時に防止できて、大サイズの種子に係る作物の生産性の低下を防止できる。
【図面の簡単な説明】
【００２５】
【図１】本発明に係る播種溝拡幅装置Ｄを備えた直播機の側面図である。
【図２】同じく平面図である。
【図３】同じく斜視図である。
【図４】（ａ）は、多数の作溝輪Ｗが取付けられた駆動軸６３の部分断面図であり、（ｂ）は、（ａ）のＸ−Ｘ線断面図である。
【図５】本発明に係る播種溝拡幅装置Ｄと覆土装置Ｇとが一体となった部分の拡大側面図である。
【図６】同様の部分の斜視図である。
【図７】同様の部分の分解斜視図である。
【図８】本発明に係る播種溝拡幅装置Ｄの分解斜視図である。
【図９】（ａ）は、ブラケット１にコイルバネ１１を介して播種溝拡幅具１２が取付けられた状態の拡大側面図であり、（ｂ）は、播種溝拡幅具１２の種々の横断面図である。
【図１０】本発明に係る播種溝拡幅装置Ｄと覆土装置Ｇの一部を破断した平面図である。
【図１１】（ａ）は、覆土装置Ｇの拡大側面図であり、（ｂ）は、（ａ）のＹ−Ｙ線断面図である。
【図１２−Ａ】（ａ），（ｂ）は、それぞれ作溝輪Ｗにより播種溝Ｖが形成される状態、及び播種溝Ｖに播種溝拡幅部Ｖａが形成される状態を示す拡大断面図である。
【図１２−Ｂ】（ｃ），（ｄ）は、それぞれ播種溝Ｖの播種溝拡幅部Ｖａに大サイズの種子Ｓが播種された状態、及び播種溝拡幅部Ｖａに播種された種子Ｓが覆土された状態を示す拡大断面図である。
【図１３】（ａ），（ｂ）は、それぞれ大サイズの種子Ｓが、本発明により形成された播種溝拡幅部Ｖａに播種された状態及び播種溝Ｖに空中支持状態で播種された状態を示す拡大断面図である。
【発明を実施するための形態】
【００２６】
以下、最適な実施例を挙げて、本発明を更に詳細に説明する。
【００２７】
図１〜図９には、本発明の実施例の播種溝拡幅装置Ｄが示されており、直播機の基本構成は、「背景技術」の部分で説明したので、播種溝拡幅装置Ｄ及び当該播種溝拡幅装置Ｄの後方に配置された覆土装置Ｇについてのみ説明する。機体Ｂの横支持棹７４における各作溝輪Ｗと播種装置Ｆの播種ホース７２との間には、それぞれ前記播種溝拡幅装置Ｄが配置され、当該播種溝拡幅装置Ｄの直後には、それぞれ前記覆土装置Ｇが配置されている。
【００２８】
播種溝拡幅装置Ｄは、図６〜図９に図示されているように、横支持棹７４にブラケット１及びコイルバネ１１を介して断面円形の直棒状をした播種溝拡幅具１２が取付けられた構成である。ブラケット１は、幅方向板部２と前後方向板部３とが直交して一体化されて平面視でＬ字形をなし、前後方向板部３を前後に二分した後半部には、前記横支持棹７４に下方から嵌合される一対の嵌合板部４が一体に設けられ、各嵌合板部４の間には、前記横支持棹７４の下方に配置される取付け板部５が水平に設けられ、当該取付け板部５には、前記ブラケット１の全体を前記横支持棹７４に固定するためのボルト１３を挿通させるボルト挿通孔６が形成されている。
【００２９】
前記コイルバネ１１は、バネ本体部１１ａの両端部に、ほぼ同一面上に配置される円環部１１ｂ，１１ｃがそれぞれ形成された構成である。コイルバネ１１の上端部の円環部１１ｂに挿通されるボルト１４が、前記ブラケット１の幅方向板部２に形成された雌螺子部７に螺合されることで、当該コイルバネ１１は、ブラケット１に対して垂直に取付けられる。ブラケット１の幅方向板部２の前記雌螺子部７が形成された部分の直下には、前記コイルバネ１１のバネ本体部１１ａの上端部のわん曲を阻止するための半短円筒状をした上部わん曲阻止部材１５が垂直に取付けられており、前記コイルバネ１１のバネ本体部１１ａの上端部であって、しかも機体Ｂの進行方向Ｐに沿って後側の部分は、前記上部わん曲阻止部材１５で覆われて、わん曲不能となっている。
【００３０】
水平配置されるボルト挿通短筒体１６の外周上面に、前記上部わん曲阻止部材１５と同一形状の下部わん曲阻止部材１７が溶接により一体に設けられ、直棒状をした播種溝拡幅具１２は、前記ボルト挿通短筒体１６の外周下面に、側面視において機体Ｂの進行方向Ｐに対して前傾姿勢となるように溶接により一体に取付けられている。ボルト挿通短筒体１６の前端面に、前記コイルバネ１１の下方の円環部１１ｃが配置されて、当該ボルト挿通短筒体１６及び円環部１１ｃを挿通するボルト１８がナット１９と螺合されることで、前記ブラケット１に、コイルバネ１１を介して播種溝拡幅具１２が、機体Ｂの進行方向Ｐに対して前傾姿勢となって取付けられる。コイルバネ１１のバネ本体部１１ａの上下の各端部の後側の部分は、それぞれ上部及び下部の各わん曲阻止部材１５，１７で覆われるため、バネ本体部１１ａにおけるわん曲可能部２１（図５参照）は、長手方向の中央部の一部のみとなる。この構造によって、前傾姿勢の播種溝拡幅具１２により、播種溝Ｖの底部に近い所定高さの部分の両内側壁面部を削り崩して播種溝拡幅部Ｖａを形成する際に、コイルバネ１１のバネ本体部１１ａが側面視で適正量だけわん曲できるようにして、当該バネ本体部１１ａのわん曲による弾性復元力により、形成中の播種溝Ｖの両内側壁面部の土壌の削り崩し部に対して播種溝拡幅具１２を適正な弾性力により押圧させて、土壌の前記削り崩しを安定して行えるように設計してある。
【００３１】
前記ブラケット１は、図６〜図８に示されるように、後述の覆土装置Ｇの前端のコの字形をした着脱ブラケット４５の下方に取付け板部５が配置された状態で、当該ブラケット４５と取付け板部５とが、前記ボルト１３及びナット２２を介して横支持棹７４に取付けられることで、播種溝拡幅具１２は、ブラケット１及びコイルバネ１１を介して横支持棹７４に取付けられる。作溝輪Ｗに対して播種溝拡幅具１２は、当該播種溝拡幅具１２の斜下端部が、当該作溝輪Ｗの作溝突部９０の最も低い部分の外周縁よりも僅かに内側に配置させることで、播種溝Ｖの最底部から僅かに上方の部分から起算して、所定高さの部分が、幅Ｋ1 に拡幅されて播種溝拡幅部Ｖａが形成される。
【００３２】
棒状をした播種溝拡幅具１２の横断面形状は、図９（ｂ）に示されるように種々考えられ、播種溝拡幅部Ｖａの幅がＫ1 となるように拡幅できれば、どのような形状であってもよいが、拡幅が周方向の配置には影響されない断面円形であることが最も好ましい。播種溝拡幅部Ｖａの幅Ｋ1 は、大豆の種子Ｓのサイズに対応していて、９〜１１ｍｍである。その他の横断面形状としては、図９（ｂ）に示されるように、正方形、正六角形等が考えられ、横断面が正方形の場合には、対向する二辺が機体Ｂの進行方向Ｐに対して平行に配置される場合と、進行方向Ｐに対して４５°だけ傾斜して配置される場合とがある。
【００３３】
また、覆土装置Ｇの着脱ブラケット４５と、播種溝拡幅装置Ｄのブラケット１の取付け板部５との間には、播種ホース７２の下端部の傾斜姿勢を定めるためのホース姿勢確定板２３の取付け板部２３ａが配置されて、当該ホース姿勢確定板２３は、横支持棹７４に取付けられる。ホース姿勢確定板２３は、横支持棹７４に取付けられた状態で、前端部が僅かに下がっていて、当該ホース姿勢確定板２３の中央のホース挿通孔２３ｂに播種ホース７２の下端部が挿通されることで、当該播種ホース７２の下端部は、前記播種溝拡幅具１２と同様の傾斜姿勢となる。なお、図７及び図８において、２４は、ワッシャーを示す。
【００３４】
次に、図５〜図７、図１０及び図１１を参照して、播種溝拡幅装置Ｄの直後に配置された覆土装置Ｇについて説明する。覆土装置Ｇは、垂直配置されたそり板支持板３１にそり板取付け部材３２が回動支持ボルト３３を介して回動可能に支持され、当該そり板取付け部材３２の下端部に、鈍角状に折り曲げられたそり板３４が溶接により一体に取付けられ、当該そり板３４の折曲げ部に対して後方の部分は、そり板本体部３４ａであって、当該そり板本体部３４ａの幅方向の中央部は、切り欠かれて中空部３４ｂとなっており、厚板状の覆土板３５の先端部が前記中空部３４ｂに入り込むようにして、当該覆土板３５が前記そり板３４の傾斜板部３４ｃに取付けられた構成である。覆土板３５の幅は、播種溝Ｖの開口部の幅Ｋ0 よりも僅かに大きくなっていることで、当該覆土板３５の進行により、当該播種溝Ｖの開口部の土壌が崩される。前記そり板３４の傾斜板部３４ｃには、前記覆土板３５を挿通可能な短四角筒状の覆土板挿通具３６が溶接により一体に取付けられ、当該覆土板挿通具３６に挿通された覆土板３５は、覆土板挿通具３６の天板部に一体に取付けられたナット体３７に固定ボルト３８を螺合させることで、前記そり板本体部３４ａの中空部３４ｂからの覆土板３５の斜突出長が調整可能となっている。なお、図中、Ｃ1 は、回動支持ボルト３３の回動軸心を示す。
【００３５】
前記そり板取付け部材３２の基端部には、第１バネ取付け棒４１が、当該そり板取付け部材３２と鈍角を形成するようにして溶接により一体に連結され、前記そり板支持板３１の後端部には、斜後上方に向けて第２バネ取付け棒４２が一体に取付けられ、第１バネ取付け棒４１の先端部と、第２バネ取付け棒４２の先端側の適所とを引張バネ４３で連結することで、前記そり板本体部３４ａが圃場面Ａに接した状態で、前記引張バネ４３の弾性復元力により、当該そり板本体部３４ａを圃場面Ａに常時押し付けるように構成されている。第２バネ取付け棒４２の先端側には、長手方向に沿って所定間隔をおいて複数の引掛け溝部４２ａが形成され、第２バネ取付け棒４２に対する前記引張バネ４３の引掛け位置を変更することで、当該引張バネ４３の弾性復元力が調整されて、当該そり板本体部３４ａを最適な押付け力で圃場面Ａに押し付けられるようにしてある。なお、４４は、そり板支持板３１に対するそり板取付け部材３２の最大傾斜角度を規制すべく、第１バネ取付け棒４１を当接させるために、第２バネ取付け棒４２に取付けられた傾斜規制部材を示す。
【００３６】
上記した覆土装置Ｇは、その覆土板３５が常に播種溝Ｖの幅方向に対して中央に配置させるべく、機体Ｂの横支持棹７４に対して僅かに左右に揺動可能に取付けられている。横支持棹７４に対して着脱可能に嵌着されるコの字形の着脱ブラケット４５には、背中合わせとなって同形状で小形の別のブラケット４６が溶接により一体化されていると共に、前記そり板支持板３１の前端部の折曲げ部３１ａには、別のブラケット４７が前記ブラケット４６と対向するように溶接により一体に取付けられている。一方、各ブラケット４６，４７内に垂直配置される一対の短円筒体４８が連結板４９を介して一体に連結され、当該連結板４９の長手方向の両端部には、各ブラケット４６，４７の下方の方形板部が、左右方向（横支持棹７４の長手方向）に隙間を有して配置される回動規制具５１が一体に取付けられている。連結板４９で一体に連結された各短円筒体４８を各ブラケット４６，４７の内部に配置した状態で、各短円筒体４８に挿通される回動支持ボルト５２を介して当該各短円筒体４８と、各ブラケット４６，４７とを連結することで、ボルト１３を介して着脱ブラケット４５を横支持棹７４に取付けると、前記覆土装置Ｇは、各回動支持ボルト５２の軸心である回動軸心Ｃ2 ，Ｃ3 を中心にして僅かに左右に揺動する構成となる。なお、図中、５３は，覆土板挿通具３６から覆土板３５が抜け出るのを防止するために、当該覆土板３５の斜上端部に取付けられた抜出防止ボルトを示す。
【００３７】
覆土装置Ｇは、引張バネ４３の弾性復元力により、播種溝Ｖの両側の圃場面Ａにそり板本体部３４ａを押し付けた状態で前進することで、当該そり板本体部３４ａの幅方向の中央の中空部３４ｂを通して播種溝Ｖ内に挿入されている覆土板３５により、当該播種溝Ｖの開口部の両側の土壌を切り崩して、底部に種子Ｓが播種された当該播種溝Ｖ内に収容させることで、当該種子Ｓが覆土される。
【００３８】
そして、トラクタにより機体Ｂが牽引されて進行すると図３、図５、図６及び図１２−Ａ（ａ）に示されるように、駆動軸６３の駆動回転により、各作溝輪Ｗの規制鍔リング体８６が圃場面Ａに接地した状態で、作溝突部９０の部分のみが圃場面Ａから内部に突き刺さることで、圃場面Ａには、断面がＶ字状をした多数条の播種溝ＶがピッチＱで形成される。各作溝輪Ｗの直後には、それぞれ播種溝拡幅具１２が、コイルバネ１１及びブラケット１を介して横支持棹７４に支持されることで配置されていて、当該播種溝拡幅具１２の下端部は、播種溝Ｖの最底部よりも僅かに上方の部分に配置されるため、コイルバネ１１は、中央のわん曲可能部２１が僅かに変形されることで、播種溝拡幅具１２の前傾角度が僅かに大きくなって、当該播種溝拡幅具１２が、播種溝Ｖの両内側壁面部に弾接した状態で、当該播種溝Ｖの両内側壁面部が削り崩されて、拡幅される〔図１２−Ａ（ｂ）及び図１３（ａ）〕。播種溝拡幅具１２は、コイルバネ１１を介してブラケット１に取付けられているため、播種溝Ｖの両内側壁面部の硬さが急激に変化したり、或いは大きな石類が存在している場合には、前記コイルバネ１１の弾性変形量の変化により、播種溝拡幅具１２の配置位置が変化されることで、上記した土壌の硬さの変化に対応できると共に、或いは石類を回避して、作溝作業を継続できる。
【００３９】
播種溝Ｖの拡幅直後においては、下端が当該播種溝Ｖの開口に臨んでいる播種ホース７２から、肥料と一緒に種子Ｓが播種溝Ｖの播種溝拡幅部Ｖａに供給されることで、当該種子Ｓは、播種溝Ｖの最底部に近い部分に落下して播種される〔図１２−Ｂ（ｃ）〕。播種溝Ｖの両側部は、当該播種溝Ｖの形成時において、作溝突部９０の押付け力を受けるために、硬くなる。形成される播種溝Ｖの形状は、安定して一定していて、その開口幅（Ｋ0 ）及び深さ（Ｈ0 ）は、それぞれ（２０ｍｍ），（５０ｍｍ）程度であると共に、拡幅部の幅（Ｋ1 ）は、（９〜１１ｍｍ）である〔図１３（ａ）参照〕。播種溝拡幅具１２により、播種溝Ｖの両内側壁面部を切り崩すことで、播種溝拡幅部Ｖａが形成されると共に、切り崩しにより発生した土壌Ｊ1 は、前記播種溝拡幅部Ｖａの底部に収容されて、当該土壌Ｊ1 の上に種子Ｓが播種される。播種された種子Ｓの深さ（Ｈ1 ）は、播種溝Ｖ自体の深さ（Ｈ0 ）よりも僅かに浅くなっているが、当該種子Ｓの全体が覆土されるために、当該種子Ｓの乾燥を防止して、当該種子Ｓの発芽を確実にできると共に、野鳥（害鳥）による種子Ｓの捕食も防止できるため、当該種子Ｓに係る作物の生産性の低下を防止して、本来の生産性を確保できる。
【００４０】
その後に、覆土装置Ｇの覆土板３５により、播種溝Ｖの開口部の両側の土壌が崩されて、種子Ｓが播種された当該播種溝Ｖに収容されることで、当該種子Ｓが覆土される〔図１２−Ｂ（ｄ）〕。
【００４１】
上記実施例では、播種溝拡幅具１２は、コイルバネ１１を介してブラケット１に取付けられていて、当該コイルバネ１１の作用により、当該播種溝拡幅具１２は、成形途中の播種溝Ｖの両内側壁面部に弾接されることで、作溝輪Ｗの作溝突部９０の突出長が磨耗により短くなって、形成される播種溝Ｖが浅くなった場合には、これに対応して播種溝拡幅具１２の前傾角度が大きくなるため、常に、棒状の播種溝拡幅具による播種溝の両内側壁面部を形成する土壌の削り崩しを安定して行えると共に、播種溝Ｖに存在する石類を回避可能になり、更に、形成された播種溝と播種溝拡幅具１２の位置が、機体Ｂの進行方向に対して直交する方向にずれていた場合にも、このずれを吸収して、播種溝Ｖを適正に拡幅できる利点がある。しかし、本発明では、コイルバネ１１の使用は不可欠ではなく、ブラケット１に播種溝拡幅具１２を直接に取付けることも可能である。
【符号の説明】
【００４２】
Ａ：圃場面
Ｂ：機体
Ｄ：播種溝拡幅装置
Ｅ：作溝装置
Ｆ：播種装置
Ｇ：覆土装置
Ｈ0 ：播種溝の深さ
Ｈ1 ：播種溝拡幅部に播種された種子の深さ
Ｋ0 ：播種溝の開口幅
Ｋ1 ：播種溝拡幅部の幅
Ｓ：大サイズの種子
Ｖ：播種溝
Ｖａ：播種溝拡幅部
Ｗ：作溝輪
１：ブラケット
１１：コイルバネ
１２：播種溝拡幅具
６３：作溝装置の駆動軸
７２：播種ホース
【図１】
0006786218.tif 000002
【図２】
0006786218.tif 000003
【図３】
0006786218.tif 000004
【図４】
0006786218.tif 000005
【図５】
0006786218.tif 000006
【図６】
0006786218.tif 000007
【図７】
0006786218.tif 000008
【図８】
0006786218.tif 000009
【図９】
0006786218.tif 000010
【図１０】
0006786218.tif 000011
【図１１】
0006786218.tif 000012
【図１２−Ａ】
0006786218.tif 000013
【図１２−Ｂ】
0006786218.tif 000014
【図１３】
0006786218.tif 000015